(57)【要約】【課題】 津波や台風高潮が発生しても建物が浮上して、浸水しない高潮水害浮上建築物の巨大な台船型浮体の建築現場における建造方法を提供する。【解決手段】 地中に埋設され上面が開口し側壁および底面を備えた容器構造プール型基礎を備え、その基礎底面上に上部に建家を建築した台船型浮体を乗せ置き、浮体と基礎の間にアンカー装置を設けて水害時に浮体は浮上するが流水に流されない構造の水害浮上建築物の浮体建造方法である。  プール型基礎底面上に架台を仮設置してその架台上にて浮体を建造し、プール内に給水して浮体を浮上させ、水中作業にて架台をプール外に搬出して排水することにより浮体をプール底面上に設置する。 【選択図】  図４
2006233745.tif 000002
【特許請求の範囲】
【請求項１】
津波や台風及び河川氾濫等の高潮水難に対し、建築物の浸水を防止する浮体構造の台船型建築物で浮体上に人が居住するように構成し、以下１ないし６の条件を具備した高潮水害浮上建築物の建造方法において、以下７ないし９の条件を具備したことを特徴とする浮体施工方法。
１，地中に埋設され上面が開口し側壁および底面を備えた容器構造プール型基礎を備える。
２，前記プール型基礎内部に連通する高潮浸水の流入口を開口する。
３，前記プール型基礎内に台船型浮体を収容し基礎底面上に載置する。
４，前記台船型浮体上に建家を建造する。
５，前記プール型基礎と前記台船型浮体の間に、浮体が上下方向のみに可動自在で水平方向に移動しないアンカー装置を設ける。
６，浸水状態となった時浮体は鉛直上方に浮上するが、前記アンカー装置により浮体の流水による水平方向流動を阻止するように構成した。
７，前記基礎底面上に架台を仮設置し、その架台上で浮体底面及び側面を施工する。
８，少なくとも上記浮体底面及び側面が施工完了された状態で、プール型基礎内に給水し浮体を浮上させ架台を水中作業によりプール外部に搬出する。
９，次ぎにプール内の給水を排水することにより浮体をプール型基礎底面上に設置する。
【請求項２】
請求項１記載の浮上建築物浮体施工方法において、プール型基礎内に給水し浮体を浮上させ水中作業にて架台をプール型基礎底面上に仮設置し、給水を排水することにより浮体を架台上に仮設置する。次ぎに浮体底面の表面処理加工して再びプール内に給水し浮体を浮上させて再び水中作業により架台をプール外に搬出して給水を排水することにより浮体をプール型基礎底面上に設置することを特徴とする浮上建築物浮体メンテナンス施工方法。
【発明の詳細な説明】
【技術分野】
【０００１】
この発明は大地震による大津波や台風高潮又は集中豪雨による洪水等の高潮水害から、人身人命及び貴重な財産を守護し、人が安全に居住する高潮水害浮上建築物の浮体建造およびメンテナンス施工方法に関する。
【背景技術】
【０００２】
２００４年１２月２６日マレーシア沖に発生した海底大地震により、インド洋沿岸諸国海岸地域に大津波による大水害が発生し、情報の伝達が遅れたこともあり過去未曾有の十数万人の死者が出た。
在来海岸地域に津波被害に対する避難設備は無く、小山や高層建築物の上階部に避難する以外に方法は無かった。
津波被害に対して現在関係諸国政府や自治体は、大地震の発生予報と津波が発生した場合如何に速やかにそれを検知する検知手段の開発と、多くの国民に伝達する伝達方法等ソフト面の構築に傾注している。
如何に早く小山や高層建築物に逃避することが、被害を少なく食い止める方法ではある。
しかし小山や高層建築物が無い平野部の多い田園地帯や、又あっても時間距離が離れて速やかな避難の困難な臨海地帯は極めて多い。
津波発生の情報伝達通信手段の構築と共に、津波に遭遇した場合の避難する手段としての装置や設備等ハード面の開発完備も極めて重要な課題である。
また年間数度も来襲する台風高潮や集中豪雨による河川氾濫被害も、低地に居住する人達は高潮浸水や氾濫冠水により例年莫大な人的物的損害を蒙っている。
【０００３】
我が国においても今世紀初頭南海地震や東南海地震が発生する可能性が高いことから、鉄骨構造十数メートルのタワー型避難台の提案がなされている。
【特許文献１】特開２００４−３３９９２０    しかしながら老若男女多数の人たちが短時間の内に階段を使って、十数メートル高所の避難台に登ることが出来るかどうかの疑問もあり、又津波の高さがタワーの高さ十数メートル以内であるかどうかの保証も無いので未だ普及の段階には至っていない。  また本発明者はこの問題に関し先願にて「浮体建築物」の名称で実用新案登録を出願し登録されている。
【特許文献２】実用新案登録第３１１０６１１号    本発明は上記出願の改良に関するもので機能を損なうことなく、よりコストを引き下げると共に実用的な建造方法を提供するものである。
【発明の開示】
【発明が解決しようとする課題】
【０００４】
本発明は避難に際して十数メートもの高所に登ることなく、平地に設備した避難建築物に入るだけで難を逃れることが出来る高潮水害浮上建築物を提供することを課題とする。
また本発明の津波に対する建築物の使用頻度は極めてゼロに近く、津波避難建築物として使用することは極めて稀であるので、避難用以外に多目的に使用出来る水害浮上建築物を提供することを課題とする。
【０００５】
また本発明津波対策として使用する建築物は、十数メートル以上たとえば百メートル以上の如何なる高水位の津波にも、人命救助に対応出来る高潮水害浮上建築物を提供することを課題とする。
また更に津波はおろかたびたび襲来する頻度の高い台風高潮水害や河川氾濫冠水にも、浸水冠水の危険が全くない一般建築物や居住用住宅を提供することを課題とする。
また更に本発明は、水害浮上建築物の巨大な浮体を造船所でなくあらゆる陸上建築現場で、合理的に建造する方法を提供することを課題とする。
また建造後十年以上の年月が経過しても常に簡単な方法で、メンテナンスが可能な水害浮上建築物のメンテナンス方法を提案することを課題とする。
【課題を解決するための手段】
【０００６】
津波や台風及び河川氾濫等の高潮水難に対し、建築物の浸水を防止する浮体構造の台船型建築物で浮体上に人が居住するように構成し、以下１ないし６の条件を具備した高潮水害浮上建築物の建造方法において、以下７ないし９の条件を具備したことを特徴とする浮体施工方法。
１，地中に埋設され上面が開口し側壁および底面を備えた容器構造プール型基礎を備える。
２，前記プール型基礎内部に連通する高潮浸水の流入口を開口する。
３，前記プール型基礎内に台船型浮体を収容し基礎底面上に載置する。
４，前記台船型浮体上に建家を建造する。
５，前記プール型基礎と前記台船型浮体の間に、浮体が上下方向のみに可動自在で水平方向に移動しないアンカー装置を設ける。
６，浸水状態となった時浮体は鉛直上方に浮上するが、前記アンカー装置により浮体の流水による水平方向流動を阻止するように構成した。
７，前記基礎底面上に架台を仮設置し、その架台上で浮体底面及び側面を施工する。
８，少なくとも上記浮体底面及び側面が施工完了された状態で、プール型基礎内に給水し浮体を浮上させ架台を水中作業によりプール外部に搬出する。
９，次ぎにプール内の給水を排水することにより浮体をプール型基礎底面上に設置する。
【０００７】
津波や台風及び河川氾濫等の水難に対し人身人命及び動産を守る避難用浮体の装備であって、水難情報により上記浮体上に避難者が乗船して避難する様に構成する。
また台風高潮や河川氾濫等で冠水する頻度の高い水難に対応し、浸水することがない安全な一般建築物や居住用住宅空間を提供する高潮水害浮上建築物を提供するものである
上記高潮水害浮上建築物のプール形基礎内部に水を供給し、浮体を浮上させて水中作業にて浮体下方に架台を仮設置し、次に内部の水を排水することにより前記架台上に浮体を仮設置して浮体底部の表面加工し、再び給水して浮体を浮上させ架台を搬出して再度水を排水することにより浮体を整備する高潮水害浮上建築物の建造方法を提供するもである。
【０００８】
本発明高潮水害浮上建築物は、必要な建設場所にコンクリートにより側壁及び底面を備えるプール型の強固な基礎を構築し、その中へ台船構造の浮体を収容し基礎底面上に浮体を載置し浮体上に建築物を建造したものである。
その浮体と基礎の間にアンカー装置が設けられ、高潮浸水が流入口からプール内に浸水すると浮体は鉛直上方に浮上するが、そのアンカー装置により浮体が浸水の流速による水平方向流動を阻止するように構成したものである。
上記浮体は浮体自体の重量とその上に建築する建造物の総重量を浮上させる浮力が必要であり浮体は巨大なものとなる。  
上記浮体を造船所のような大型クレーンのない市街地や、一般道路沿いのあらゆる建築現場にて建造するために小型の装置を使用しての浮体建造には特別な工夫が必要であった。
【０００９】
浮体素材に定尺の鋼板を使用して溶接構造で直方体に組み立ててプール型基礎内に収容し底面上に載置するが、浮体底面や側面は溶接の後に塗装等の表面処理加工が必要である。
組み立てられた浮体を大型のクレーンにより吊り下げての作業が可能であれば極めて簡単であるが、そのようなクレーンを使用できない建築現場では特別な建造方法の開発が必要であった。
また鋼板製の浮体では一度高潮がプール内に浸水した場合は速やかに浸水された浮体底部は防錆のため表面処理メンテナンス加工しなければならない。
また浮体が浸水されなくても数年ないし数十年に一度は、メンテナンスとして浮体底面や側面の腐食を点検し表面処理加工が必要である。
浮体素材を腐食しないＦＲＰ合成樹脂や、セメント素材による軽量コンクリートで建造すれば上記経年変化や腐食は殆どなくメンテナンスを省略出来る。
しかしＦＲＰ製浮体の建造には浮体外側に型材が必要であり、軽量コンクリートの場合も外側に型枠を使用するため浮体完成後型枠の取り外し方法手段が必要である。
【００１０】
本発明は上記高潮水害浮上建築物の浮体建造方法とそのメンテナンスを、大型クレーンを使用せず小型の機材を使用して合理的に実施する方法を提供するものであり、以下概要を箇条書きにてを詳述する。
１，先ず建築現場に大部分が地中に埋設され、底面及び側壁を備えた容器構造プール型基礎を構築する。（以下プール型基礎内部をプールと称す。）
２，プールと連通した高潮浸水の流入口を開口する。
３，プール底面上に３台以上多数の架台を仮設置し、その架台上で浮体を建造する。
４，浮体素材が鋼板の場合は底面の表面処理加工を実施する。  
５，浮体素材がＦＲＰの場合は型材を上記架台上に設置し、ＦＲＰ樹脂及びガラス繊維シートを型材内側にコーティング塗布して硬化させる。
浮体が完成すればジャッキリフトにより浮体を上昇させ、架台の支承位置を変更しながら上記型材を取り外す。
【００１１】
６，浮体素材が軽量コンクリートの場合は型枠を上記架台上に設置し、型枠内に浮力体を収容すると共にコンクリートを充填する。
コンクリートが硬化し浮体が完成すればジャッキリフトにより浮体を上昇させ、架台の支承位置を変更しながら上記型枠を取り外し、型枠を取り外した浮体を架台上に設置する。
７，プール内に給水し浮体を浮上させると共に架台を水中作業によりプール外に搬出し、
前記給水を排水することにより浮体をプール底面上に設置する。
上記のごとくプール底面上に設置された浮体の上にアンカーボルトにより土台を緊締し建築物を建造する。
また上記３の工程でプール底面上に３台以上多数の架台を仮設置し、その架台上で浮体を建造すると共に継続して浮体上に建築物を建造し、７の工程でのプール内に給水し浮体を浮上させると共に架台を水中作業によりプール外に搬出し、前記給水を排水することにより浮体及び建築物をプール底面上に設置するように構成しても良い。。
【発明の効果】
【００１２】
本発明のめざす水害浮上建築物は、一般住宅から大型高層ビルまで多種多様な建築物が対象である。
一般的に浮体上面の面積は建家の建築面積より充分広いことが望ましい。
浮体面積が建屋面積より充分広く設計計画すれば、高潮浸水による浮上時に安定性が良くなり浮体上に自家用車等も避難できる。
高層ビルの場合は安定性を良くするため、建築面積の数倍ないし数十倍も広い浮体面積が理想的である。
しかし都会の市街化地域等では、隣接するビルと密接して建築しなければならない地域がある。
この場合は建築面積より狭い浮体としなければならないが、浮体にはその上の建築物の重量まで浮上させなくてはならないので、その浮力を得るため浮体の深さを大とする設計計画とする。
【００１３】
上記何れの場合も上部建築物の重量を浮上させるため浮体は巨大なものとなり、それを一般建築現場で建造しなければならない。
高層ビルの場合は浮体寸法が数十メートルないし数百メートルで、浮体と建家の総重量が数百トンないし数万トンで大型船舶に匹敵するものとなることもある。
浮体は浮き桟橋やメガフロートと同様な浮体構造で、定尺鋼板を溶接構造で組み立てるものが一般的である。
その他にコンクリート内に発泡スチロールや木製の中空箱を埋め込み、コンクリートの見かけ比重を下げて浮体としたものがある。
また鋼板の代わりにＦＲＰ合成樹脂による漁船建造と同様に、中空浮体を建造する方法もある。
上記の様な大型構造物はこれまですべて大型クレーンを備えた造船所で建造され、完成すれば洋上に進水してタグボートで曳航して必要な場所まで移動し洋上で使用するものであった。
【００１４】
しかし本発明対象の高潮浸水浮上建築物は陸上市街地の必要な建築場所で建造し、数十年以上永久使用するものである。
従って造船所の様な大型クレーンも無い狭い用地で、すべての工程を経て完成させなければならないし、建造後も建築物の耐用年数である数十年ないし百年以上のメンテナンスをしなければならない宿命がある。
上記大型の浮体とその上の建築物を建造する方法と、その建築物のメンテナンスの施工方法については実施例により詳述する。
【００１５】
高潮浸水により建家が敷地ごと浮上し建家内に浸水することがなく、居住する人の安全を確保する発明の提案や実施された実績はなかった。
本発明者は図１１に示す特に津波避難用の水害浮上建築物を発案し先願にて出願している。
図１１において（ａ）は側面図で（ｂ）はその平面図であり（ｃ）は正面から見た側面図である。
基礎（４）表面の上にそれ自体が水害浮上建築物である浮体を載置し、浮体側面に設けた鞘部材の中に鋼管製アンカーポールを挿入してあり、その下端部が基礎のポール穴に挿入されている。
高潮浸水が発生すると避難者が乗船した浮体は浮上するが、アンカーポール下端部が基礎のポール穴である係止部材に抵抗され流水に流されないものである。
基礎表面に二条の一段低いメンテ通路（４２）を形成してあり、そのメンテ通路内に多数のジャッキリフト（８）を導入し同期して運転することにより浮体を底面から支え昇降する構造としたものである。
【００１６】
それにより浮体底面塗装等表面処理加工を実施すると共に、浮体底面のメンテナンス作業時もジャッキリフト（８）を導入し浮体を上昇させ施工することが出来る。      
しかしこの構造の浮体は甲板が地面より高く図のように昇降路が必要であり、甲板を地面と同一か自由に設定するため、本発明では基礎の底面を下げてプール型に形成したものである。
プール型基礎構造として基礎底面より低いメンテ通路を設けた設計とすると、プールの深さが極めて深くなり基礎工事の堀方が深く必要コンクリート量も膨大となるデメリットある。
従ってプール型基礎を採用しながら、プール底面にメンテ通路のない平坦構造で浮体を
建造する方法とメンテナンス加工処理方法を模索した。
【００１７】
本発明は基礎をプール型としてそのプール底面上に浮体を収容載置することにより、浮体甲板の高さを自由に設定することが可能となった。
また同様に基礎をプール型としてそのプール底面上に浮体を収容載置することにより、プール内に給水して架台上で建造した浮体を浮上させ、水中作業により架台をプール外に搬出し給水を排水することにより、基礎底面上に巨大な浮体を設置することに成功した。
また同様な方法で必要な時に何時でもプール内に給排水することにより、浮体底面やプール底面のメンテナンス加工することが可能となったのである。
【発明を実施するための最良の形態】
【００１８】
発明にとって最も重要なことは、その発明が目的を現実的に達成出来るかの機能である。  次に重要なことは目的を達成する手段は数多くあっても、最も構造が簡単で資材材料が少なくて加工がしやすく総合コストが安価に製作できることであり、目的を達成する方法手段は無数にある。
以下本発明の実施例を図面に基づいて説明する。ただし、以下に示す実施例は、本発明の技術思想を具体化するための一態様を例示するものであって、本発明は実施例のものだけに特定しない。
【実施例】
【００１９】
図１は本発明の対象である高潮水害浮上建築物の完成図であり、（ａ）は側面を示し（ｂ）は（ａ）のＡＡ断面での平面図である。
（ａ）の上部建家の外観を示し大部分が地面に埋設された基礎部分は断面を示す。
基礎（４）は底面及び側壁を備えた容器構造プール型で、底面はその上に鋼板製中空の浮体と浮体上に建築物が載置されるため、その重量に耐える強度を備えたベタ基礎鉄筋コンクリート構造に構成されている。
浮体（１）は定尺鋼板による溶接構造の中空直方体で内部にねじれを防止するための隔壁（６）が設けられ、上部の建家の重量を支承するため荷重台が内蔵立設されている。
浮体（１）四方端部には鉛直下方に伸縮自在のテレスコープ型アンカーポール（２）が設けられ、浸水により浮体（１）が浮上すると図２に示すように下方に伸長する。
アンカーポール（２）は図２に示すように鋼管製で、浮体（１）と一体の鞘部材（２３）の中に中鞘（２５）が挿入され更に中鞘の中に先端ポール（２６）が挿入されており、図示しないが一定の長さに伸長するとそれ以上に伸長しないように内部にストッパが設けられている。
【００２０】
またプール底面には前記アンカーポール（２）に対応し、アンカーポール下端部が挿入されている係止部材としてのポール穴（３）が穿孔されている。
プール右端部には高潮浸水がプール内に流入するための開口である流入口が設けられ、常時はその開口を閉止する開閉扉（２１）が設けられ、高潮浸水の情報を受けて駆動装置により解放開口する。
浮体（１）内部には水タンク（１７）が設けられているが、これは浮体及び建家のすべてが完成し浮上テストにより高潮浸水による浮上時に、浮体と建家の傾きが無いようにバラストタンクとして重量バランスを取るために給水調整するものである。
【００２１】
図２は高潮浸水が来襲した状況を示し開閉扉（２１）が解放されており、高潮の流入口（１２）からプール内に浸水し浮体（１）の喫水線より水位が高くなり浮体が浮上している状態である。
浮体が浮上すると浮体と一体のアンカーポール（２）の鞘部材（２３）が上昇するが、鞘部材の中に挿入された中鞘（２５）及び中鞘の中に挿入された先端ポール（２６）には浮力はなく、アンカーポール（２）は下方に伸長してその下端部は基礎のポール穴（３）内に残されている。
高潮浸水は図２の右側から左方向に流れ、浸水により喫水線まで水中にある浮体（１）にはその流速のため左方向に流される押圧力が作用する。
この流速による押圧力は浮体と一体の鞘部材（２３）にかかり、鞘部材に挿入されている中鞘にかかり更に先端ポールにかかる。
【００２２】
アンカーポール（２）下端部が基礎のポール穴（３）に挿入され係止されており、地球地面と一体の基礎は不動でありアンカーポールとポール穴の係止部が損壊しない限り、浮体は流速に流されることはない。
高潮水位が更に高くアンカーポールがポール穴（３）から抜け出ると、浮体はアンカーポールを吊り下げた状態で浸水流に流される。アンカーポールを吊り下げた状態では浮体重心が若干降下し安定性が良くなる。
浮体は構築物等に衝突して破損しない限り、転覆や沈没することはなくやがて水位が降下すればその位置でアンカーポールが短縮し地上に安置される。
【００２３】
図３において他の構造のアンカー装置を備えた水害浮上建築物について詳述する。
（ａ）は側断面を示し浮体上の建築物は省略図であり、基礎は前実施例と同様プール型で浮体と共に断面図を記載してあり（ｂ）は（ａ）のＡＡ断面線での平面図である。
プール型基礎（７）は前実施例と同様に大部分が地中に埋設され、プール底面に上部建家が建築された浮体が載置されている。
プール側壁（１５）に緩衝材（３０）が取り付けられ、浮体側面との間に微小間隔または軽い接触にて浮体がプール内に収容されている。
緩衝材は船舶と岸壁の間に設置して船体を保護する防舷材に使用する材質で、表面が柔軟で弾力性を備えたゴム製のクッション材である。
緩衝材は図のようにプール側壁即ちガイド壁（３１）と一体的に固定しても、また浮体側面と一体的に固定しても良い。
【００２４】
（ｃ）は高潮浸水が襲来し浮体が浮上している状況を示し、浮体側面は緩衝材（３０）と接触しながら鉛直上方に浮上するが、浸水の流速を受けて浮体は白矢印左方向に流される押圧力を受ける。
浮体左側面はプール側壁（１５）に緩衝材を介して抵抗を受け流水に流されず、水位が降下すればまた元の位置にプール底面上に安置される。
しかし水位が更に上昇し浮体底面が側壁上端より高くなれば、その抵抗が無くなり浮体は浸水の流速に流される。
本浮体も前実施例と同様に構築物等に衝突して破損しない限り、転覆や沈没することはなくやがて水位が降下すればその位置で地上に安置される。
【００２５】
図４（ａ）ないし（ｅ）は浮体の建造方法についての説明図である。
（ａ）はプール型基礎を構築しプール底面上に３台以上多数の架台を仮設置し、その上で浮体を組み立てる状況を示す。
架台上部は同一高さ同一平面に設定され、その上に定尺鋼板を並べて溶接構造で連結して組み立てる。
浮体（１）底板の外側からの塗装等表面処理は、架台に隣接した位置にジャッキリフトを導入して同期して浮体を微小高さ上昇させ、ジャッキリフトの位置を変更して施工する。
浮体側面外側の表面処理は、浮体をプール側壁より高く上昇させた（ａ）の状態で施工する。
【００２６】
少なくとも浮体底面及び側面が完成すればジャッキリフトを若干上昇し、（ｂ）の如く上の架台を取り外し架台を低くしてジャッキリフトを降下し、架台の上に浮体を乗せると共に（ｃ）の如くジャッキリフトをプール外に搬出する。
次ぎに（ｄ）の如くプール外に大型の水槽を準備して、その水槽の水を図示しないがポンプ等でプール内に給水し浮体を若干浮上させる。
次ぎに図示しないがアクアラング等を装備した作業員により、水中作業で架台をプール外に搬出する。
次ぎに（ｅ）の如く排水ポンプによりプール内の水を排水することにより浮体をプール底面に設置する。
（ｅ）の工程が終了すれば浮体上面即ち船舶用語甲板を施工し、その上に建家の土台を緊締すると共に建家の建築施工工事をすればよい。
また（ａ）ないし（ｃ）の何れの状態でも浮体を完成させ、直ちにその上の建築物の施工にかかり、建築物がすべて完成して（ｄ）及び（ｅ）の工程により浮体と建家をプール底面上に設置し一挙に工事を完了させることも出来る。  
【００２７】
鉄筋コンクリート製基礎及び鋼板製の浮体は、数年ないし数十年に一度はメンテナンスを実施しなければならない。
また高潮浸水によりプール内に海水等が流入した場合は、その都度速やかにメンテナンス施工する必要がある。
鋼板製の浮体は経年変化による錆が発生し、表面塗装が剥がれ内部にまで腐食が進行して穴があき、高潮浸水が浮体内に流入して浮上しないことが発生する可能性がある。
またプール底面のコンクリートが劣化して微粉状となり浮体と結合して固着し、進水流入時速やかに浮体底面に浸水が浸透しないことが発生すると、浮体浮上が遅れて上部建家にまで浸水する可能性もある。
【００２８】
図５ないし図６においてプールと浮体のメンテナンス方法について詳述する。
図５（ａ）ないし（ｂ）は本発明建築物のプール部分の断面図で、右端部に大型の水槽を準備して浮体内に給水する状況を示す。
給水が進行し浮体と上部建家の重量を浮上させる吃水位置まで水面が上昇すると浮体の浮上が始まり、更に給水して浮体底面とプール底面が架台の高さ以上に達すれば給水を終了する。
水中作業によりプール底面上に上部の浮体と建家の重量分布に応じて、多数の架台を仮設置すると共にプール内の給水を水タンク（１７）に排水して浮体を架台上に仮設置する。
次ぎに（ｃ）に示すようにジャッキリフトを搬入し架台と隣接した位置に仮設置すると共に、すべてのジャッキリフトを同期して運転し浮体と建家を上昇する。
【００２９】
図６（ａ）は浮体底面がプール側壁位置まで上昇させた状況を示し、ジャッキリフトの上部に別の架台を乗せて浮体を高く上昇させている。
その架台の設置方法は重量配分を考慮して半数のジャッキリフトを若干降下し、その降下したジャッキリフトの上に架台を乗せて更に上昇させたものである。
この状態で浮体側面及び底面のサンダーによる錆落とし作業と再塗装により表面処理加工を実施すると共に、プール底面や側壁表面のコンクリートの状態を観察し適当なメンテナンス加工を施工する。
上記加工が終了すれば（ｂ）に示すようにジャッキリフトを降下して、浮体をプール底面上架台の上に仮設置し水タンクから再びプール内に給水する。
浮体が若干浮上した状態で再び水中作業により架台をプール外に搬出すると共に、（ｃ）に示すように再びその給水を水タンクに排水することにより浮体をプール底面上に再設置してメンテナンス作業を終了する。
【００３０】
図７（ａ）ないし（ｄ）にコンクリート製浮体の建造方法について詳述する。
（ａ）は完成したプール内底面上に型枠（３５）を組み立ててその中にアンカーポール（２）を内蔵する。
次ぎに図のように木製の中空箱または発泡スチロール製の浮力体（３７）を内蔵し、更に鉄筋（３９）を組み立てて図示しないがコンクリートポンプによりホース（３８）を介して生コンクリート（４０）を充填している状況である。
コンクリートの中に浮力体を内蔵することによりコンクリートの見かけ比重を下げ、大きな浮力を保持し水面上に浮上する軽量コンクリートとするためである。
コンクリートが型枠（３５）の中でやがて硬化すれば、（ｂ）に示すようにプール内に給水し浮体を型枠ごと浮上させる。
水中作業により架台をプール内に搬入し、プール底面上に仮設置すると共に給水を外部水タンクに排水し架台上に浮体を仮設置する。
【００３１】
次ぎに（ｃ）に示すように多数のジャッキリフトをプール底面上に導入し、ジャッキリフトを同期して上昇させると共にジャッキリフトが当接していない部分の型枠を取り外す。
次ぎに一部のジャッキリフトを降下し取り外された型枠部分の浮体露出位置に移動し、再び上昇して浮体を直接支承すると共にしすべての型枠を取り外す。
型枠剥離作業が終了すれば（ｄ）に示すようにジャッキリフトを降下して浮体を架台上に仮設置すると共にジャッキリフトをプール外に搬出する。
更にプール内に給水し浮体を若干浮上させ、水中作業により架台をプール外に搬出すると共に給水を排水し浮体をプール底面上に設置する。
以上の工程により完成された浮体上に、建築物を建造することにより本発明浸水浮上建築物が完工する。
上記工程においてジャッキリフトを水中に浸漬可能な完全防水型を採用すれば一部の工程が省略できる。
それは（ｂ）に示す架台の代わりに防水ジャッキリフトを導入し、（ｄ）に示す工程で
架台をジャッキリフトに置き換えれば架台を省略した作業が可能である。
【００３２】
浮体素材にＦＲＰ合成樹脂を使用すれば経年変化が殆どなく、建築物耐用年数百年に匹敵する浮体建造が可能である。
しかし原材料が若干高価となるがしかしメリットとしては、完成後のメンテナンスが殆ど省略できる。
ＦＲＰ合成樹脂製浮体の建造方法は、図示しないがＦＲＰ漁船等の船舶と同様な方法で建造可能である。
前記コンクリート製浮体と同様にプール内に木型を組み立て設置し、木型内側にＦＲＰ素材を積層して成型する。
成型が完了すればプール内に給水し浮体を木型ごと浮上させ、水中作業により架台を浮体下方のプール底面上に仮設置して排水し架台上に浮体を仮設置する。
その状態でジャッキリフトを導入しジャッキリフトで浮体を支えながら木型を剥離し離形して浮体を架台上に仮載置する。
次ぎにプール内に給水し水中作業により架台をプール外に搬出して排水することにより浮体をプール底面上に設置する。
【００３３】
上記これまで鋼板製浮体とコンクリート製浮体及びＦＲＰ製浮体の建造方法と、更に完成された本発明水害浮上建築物の浮体メンテナンス方法について記述した。
前記建造方法およびメンテナンス方法のすべてに共通する事項は以下の３点に集約される。
１，プール底面上に架台が仮設置されその架台上に浮体が仮載置されている。
２，プール内に給水し浮体を浮上させ、架台を水中作業によりプール外に搬出する。
３，プール内給水を排水することにより浮体をプール底面上に設置する。
上記施工工程はプールと浮体の一辺が数百メートル以上と如何に巨大なものであり、建築物が高層建築であっても可能であり、前述のプール底面にメンテ通路を設けた施工方法よりこの給水浮上施工がコスト的に有利である。
【００３４】
図８は基礎底面に流水勾配を設けた実施例であり、プール内に給水し浮体が浮上している状況を示す。基礎底面が水平ではプール内に給水した水は容易に排水できず、プール内が乾燥するまでに極めて長時間を要し鋼板の防錆上問題がある。
図８（ａ）はプール形基礎の側断面図であり、（ｂ）はその平面図、（ｃ）は（ａ）の正面から見た側断面図である。
プール底面は（ｂ）および（ｃ）の矢印に示すように中央の排水溝（３３）に向かって１パーセント程度の流水勾配をつけてあり、排水溝は（ａ）の点線に示すように底面が右に向かって下り勾配で右端部の排水ピット（３４）に水が集合されるよう構成されている。  プール内の水を排水する場合は図示しないが排水ピット内に排水水中ポンプを投入して排水運転する。
【００３５】
また上記のようにプール内に排水ピットおよび排水溝を設けたプールは、排水溝が導水路となり高潮浸水時に浸水が浮体底部中央から浸水するので極めて短時間の内に浮体底面全体に浸透し浮体浮上が早くなる。
図８のプール底面は排水溝（３３）に向かって流水勾配がついており、その上に浮体が置かれるので浮体底面はプール底面と添うように（ｃ）に示すように中央が深い形状となっている。
この浮体形状は製作時手間が掛かり浮体は完全な直方体が製作加工には望ましい。
図９ないし図１０は基礎底面に流水勾配を設けると共に浮体底面を水平面とし浮体を完全な直方体とした実施例で、プール内に給水し浮体が浮上している状況を示す。
図９および図１０何れも（ａ）はプール形基礎の側断面図であり、（ｂ）はその平面図、（ｃ）は（ａ）の正面から見た側断面図である。
【００３６】
図９は直方形状浮体底面（１８）に鋼板製の（ｄ）に示す台座（５）を一体的に連結したものであり、図はプール内に浮上しているが排水されると台座の底面がプール底面に添って均一な加重で置かれる。
図１０ではプール底面上に鋼板製またはコンクリートによる台座（５）をプールと一体に設けたもので、排水されると浮体底面が台座の上面に添って均一な加重で置かれる。
図９および図１０何れも浮体底面とプール底面の間に台座が介在し、隣接する台座と
台座の間に空隙が形成される。
従って高潮浸水流入時に速やかに浸水が浮体底部全体に進行し浮体浮上が早くなり、またプールから排水時には速やかに排水される。
【産業上の利用可能性】
【００３７】
本発明は津波災害に対する避難設備であり、近い将来南海地震や東南海地震が発生することが予測されており極めて関心の高いテーマである。
また台風や集中豪雨による浸水水害は殆ど毎年各国各地で発生しており、この浸水水害に対応する手段として本発明は極めて有効である。
技術的に完成した装備を提供することにより建設業界及び鉄工業界にも産業上大きな利用の可能性がある。
２００４年１２月末のインド洋沿岸地域を襲った大津波は、数時間の内に十数万人の尊い人命を奪い海洋性リゾートを楽しむ人達に大打撃を与えた。
【００３８】
大津波に対する何らかの絶対信頼出来る救難施設が完成するまでは、多くの観光客は海岸リゾートに足を向けなくなるであろう。
本発明はその安全性に対する効果が証明され衆知されることにより、この海洋性リゾート産業と臨海地域に居住する多くの人達に安全な生活を保証する大きな糧となる可能性がある。
また本発明は一般の居住用建築物や大型のホテルに適用し、高潮被害の発生しやすい海岸低地に建築することにより、その効果が証明されれば建設産業界に膨大な利用の可能性がある。
【図面の簡単な説明】
【００３９】
【図１】本発明対象水害浮上建築物の完成図で（ａ）は側断面を示し（ｂ）はＡＡ断面線での平面図である。
【図２】高潮浸水来襲時に浮上した状態の水害浮上建築物側断面図。
【図３】上記と異なるアンカー装置を備えた水害浮上建築物の構造と作用説明図で、（ａ）は側断面図、（ｂ）は平面図、（ｃ）は高潮浸水来襲時に浮上した側面図である。
【図４】本発明水害浮上建築物浮体施工方法の工程説明側断面図で（ａ）は浮体建造時の状態を示し、（ｂ）ないし（ｅ）は浮体をプール型基礎底面上に設置する作業工程を示す。
【図５】水害浮上建築物のメンテナンス施工工程説明側面図で、（ａ）ないし（ｃ）はプール型基礎内に給水および排水して浮体を昇降し架台上に仮設置する工程を示す。
【図６】前図作業の次工程で（ａ）はプール底面にジャッキリフトを導入し、浮体を上昇させて浮体底面の表面加工して、次ぎにジャッキリフトを取り出し架台上に浮体を仮設置する。（ｂ）ないし（ｃ）はプール内に給水および排水し浮体をプール底面上に設置する工程を示す。
【図７】コンクリート製浮体の建造作業工程を示す側断面図である。  （ａ）は型枠を組み立て生コンクリート充填状況を示す。（ｂ）はプール内に給水し、浮体を浮上させて水中作業により架台を設置する。次ぎに排水して浮体を型枠ごと架台上に仮設置する。（ｃ）はジャッキリフト（８）を導入し、浮体を上下させ型枠を取り外すと共に架台上に浮体を仮設置する。（ｄ）はプール内に給排水し架台を取り出し浮体をプール底面上に設置する。
【図８】プール底面（３２）を排水ピット（３４）に向けて流水勾配を設けた実施例である。  （ａ）は側断面を示し（ｂ）はその平面図で（ｃ）は正面からの側断面図である。
【図９】上記プール底面で浮体底面に台座（５）を一体的に設けた実施例である。  （ａ）は側断面を示し（ｂ）はその平面図で（ｃ）は正面からの側断面図である。
【図１０】上記プール底面でプール底面に台座（５）を一体的に設けた実施例である。  （ａ）は側断面を示し（ｂ）はその平面図で（ｃ）は正面からの側断面図である。
【図１１】（ａ）は側面図で（ｂ）は平面図（ｃ）は正面から見た側面図である。基礎表面に一段低いメンテ通路（４２）を設け、その中にジャッキリフトを導入し同期して運転し浮体を上下動する。
【符号の説明】
【００４０】
１…浮体
２…アンカーポール
３…ポール穴
４…基礎
５…台座  
６…隔壁  
７…プール型基礎  
８…ジャッキリフト    
９…地面
１０…水害浮上建築物
１１…荷重台
１２…流入口  
１３…雨水カバ
１４…水面線  
１５…側壁  
１６…導水路
１７…水タンク
１８…底面
１９…土台
２０…建家
２１…開閉扉
２２…駆動装置
２３…鞘部材
２４…通路穴
２５…中鞘
２６…先端ポール
２７…開口
２８…甲板
２９…突条
３０…緩衝材
３１…ガイド壁
３２…プール底面
３３…排水溝
３４…排水ピット
３５…架台
３６…型枠
３７…浮力体
３８…ホース
３９…鉄筋
４０…生コンクリート
４１…昇降路
４２…メンテ通路
【図１】
2006233745.tif 000003
【図２】
2006233745.tif 000004
【図３】
2006233745.tif 000005
【図４】
2006233745.tif 000006
【図５】
2006233745.tif 000007
【図６】
2006233745.tif 000008
【図７】
2006233745.tif 000009
【図８】
2006233745.tif 000010
【図９】
2006233745.tif 000011
【図１０】
2006233745.tif 000012
【図１１】
2006233745.tif 000013
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
地中に設置されて上方を開口するように側壁および底面を備え、かつ高潮浸水の流入口を開口している容器構造のプール型基礎の内部に、建家を建造している台船型の浮体を収容すると共に、この前記台船型の浮体と前記プール型基礎との間に、浮体が上下方向のみに可動自在で水平方向に流動しないアンカー装置を設けて、プール型基礎が浸水状態となった時に浮体を鉛直上方に浮上させて、前記アンカー装置により浮体の流水による水平方向流動を阻止するように構成する水害浮上建築物の浮体施工方法であって、
前記プール型基礎の底面上に架台を仮設置して、この架台上で浮体の底面および側面をを建造し、少なくとも上記浮体底面及び側面が施工完了された状態で、プール型基礎内に給水して浮体を浮上させて架台を水中作業によりプール外部に搬出し、その後、前記プール型基礎内の水を排水することにより浮体をプール型基礎の底面上に設置する水害浮上建築物の浮体施工方法。
【請求項２】
プール型基礎の底面上に３台以上の架台を仮設置する請求項１に記載する水害浮上建築物の浮体施工方法。
【請求項３】
プール型基礎に架台を仮設置し、架台の上で台船型の浮体を組み立てる請求項１に記載する水害浮上建築物の浮体施工方法。
【請求項４】
プール型基礎の底面上に仮設置される複数の架台を、上部が同一平面となるように設置し、架台の上に鋼板を並べて溶接構造で連結して組み立てる請求項１に記載する水害浮上建築物の浮体施工方法。
【請求項５】
プール型基礎の底面に、架台に隣接してジャッキリフトを導入しこのジャッキリフトで浮体を上昇させて、浮体の表面処理をする請求項１に記載する水害浮上建築物の浮体施工方法。
【請求項６】
ジャッキリフトを降下して、架台の上に浮体を乗せて、ジャッキリフトをプール型基礎から搬出する請求項５に記載する水害浮上建築物の浮体施工方法。
【請求項７】
プール型基礎から排水して浮体をプール型基礎の底面に設置して、浮体上面の甲板を施工し、その上に建家の土台を緊締すると共に建家を建築する請求項１に記載する水害浮上建築物の浮体施工方法。
【請求項８】
浮体に建家を建築した後、プール型基礎から排水して浮体をプール型基礎の底面に設置する請求項１に記載する水害浮上建築物の浮体施工方法。
【請求項９】
プール型基礎内に給水し浮体を浮上させて水中作業にて架台をプール型基礎底面上に仮設置し、プール型基礎から排水して、台船型浮体を架台上に仮設置し、台船型浮体を架台に仮設置する状態で、台船型浮体をメインテナンスし、メインテナンスが終了した後、プール型基礎に給水し台船型浮体を浮上させ、台船型浮体を浮上させる状態で水中作業により架台をプール外に搬出し、その後、プール型基礎から排水して台船型浮体をプール型基礎底面上に設置する請求項１に記載する水害浮上建築物の浮体施工方法。
【手続補正２】
【補正対象書類名】明細書
【補正対象項目名】０００６
【補正方法】変更
【補正の内容】
【０００６】
津波や台風及び河川氾濫等の高潮水難に対し、建築物の浸水を防止する浮体構造の台船型建築物で浮体上に人が居住するように構成し、以下１ないし６の条件を具備する高潮水害の時に浮上する水害浮上建築物の建造方法である。
１，水害浮上建築物は、地中に埋設され上方が開口し側壁及び底面を備えた容器構造のプール型基礎を備える。
２，プール型基礎は、内部に連通して、高潮浸水の時に水を入れる流入口を開口している。
３，プール型基礎内に台船型の浮体を収容して、浮体をプール型基礎の底面上に載置している。
４，台船型の浮体上に建家を建築している。
５，プール型基礎と台船型の浮体の間に、浮体を上下方向のみに可動自在で水平方向に移動しないアンカー装置を設けている。
６，プール型基礎が浸水状態となった時、浮体は鉛直上方に浮上するが、アンカー装置により浮体の流水による水平方向流動を阻止するようにしている。
更に、本発明の水害浮上建築物の浮体施工方法は、プール型基礎の底面上に架台を仮設置して、この架台上で浮体の底面及び側面を構築し、少なくとも上記浮体底面及び側面が施工完了された状態で、プール型基礎内に給水して浮体を浮上させて架台を水中作業によりプール外部に搬出し、その後、前記プール型基礎内の水を排水することにより浮体をプール型基礎の底面上に設置することを特徴とする。
【手続補正３】
【補正対象書類名】明細書
【補正対象項目名】００１６
【補正方法】変更
【補正の内容】
【００１６】
それにより浮体底面塗装等表面処理加工を実施すると共に、浮体底面のメインテナンス作業時もジャッキリフト（８）を導入し浮体を上昇させ施工することが出来る。      
しかしこの構造の浮体は甲板が地面より高く図のように昇降路が必要であり、甲板を地面と同一か自由に設定するため、本発明では基礎の底面を下げてプール型に形成したものである。
プール型基礎構造として基礎底面より低いメンテ通路を設けた設計とすると、プールの深さが極めて深くなり基礎工事の堀方が深く必要コンクリート量も膨大となるデメリットがある。
従ってプール型基礎を採用しながら、プール底面にメンテ通路のない平坦構造で浮体を
建造する方法とメンテナンス加工処理方法を模索した。
【手続補正４】
【補正対象書類名】明細書
【補正対象項目名】００２８
【補正方法】変更
【補正の内容】
【００２８】
図５ないし図６においてプールと浮体のメンテナンス方法について詳述する。
図５（ａ）ないし図６（ｃ）は本発明建築物のプール部分の側断面図で、図５（ａ）は平常時の状態を示し、（ｂ）はメンテナンスの最初の工程として右端部に大型の水タンク（１７）を準備してプール内に給水する状況を示す。
給水が進行し浮体と上部建家の重量を浮上させる吃水位置まで水面が上昇すると浮体の浮上が始まり、更に給水して（ｂ）に示すように浮体底面とプール底面が架台の高さ以上に達すれば給水を停止する。
次ぎに水中作業によりプール底面上に上部の浮体と建家の重量分布に応じて、多数の架台（３５）を仮設置すると共にプール内の給水を元の水タンク（１７）に排水して浮体を架台上に仮設置する。
次ぎに（ｃ）に示すようにジャッキリフト（８）を搬入し架台と隣接した位置に仮設置すると共に、すべてのジャッキリフトを同期して上昇運転し浮体と建家を上昇させる。
【手続補正５】
【補正対象書類名】明細書
【補正対象項目名】００２９
【補正方法】変更
【補正の内容】
【００２９】
図６（ａ）は浮体底面がプール側壁上端位置まで上昇させた状況を示し、ジャッキリフトの上部に別の架台を乗せて浮体を高く上昇させている。
その架台の設置方法は重量配分を考慮して半数のジャッキリフトを若干降下し、その降下したジャッキリフトの上に別の架台を乗せて更に上昇させたものである。
この状態で浮体側面及び底面のサンダーによる錆落とし作業と再塗装により表面処理加工を実施すると共に、プール底面や側壁内面のコンクリートの状態を観察し適当なメンテナンス加工を施工する。
上記加工が終了すれば（ｂ）に示すようにジャッキリフトを降下して、浮体をプール底面上架台の上に仮設置しジャッキリフトをプール外に搬出後、水タンクから再びプール内に給水する。
浮体が若干浮上した状態で再び水中作業により架台をプール外に搬出すると共に、（ｃ）に示すように再びその給水を水タンクに排水することにより浮体をプール底面上に再設置してメンテナンス作業を終了する。
【手続補正６】
【補正対象書類名】明細書
【補正対象項目名】００３０
【補正方法】変更
【補正の内容】
【００３０】
図７（ａ）ないし（ｄ）にコンクリート製浮体の建造方法について詳述する。
（ａ）は完成したプール内底面上に型枠（３６）を組み立ててその中にアンカーポール（２）を内蔵する。
次ぎに図のように木製の中空箱または発泡スチロール製の浮力体（３７）を内蔵し、更に鉄筋（３９）を組み立てて図示しないがコンクリートポンプによりホース（３８）を介して生コンクリート（４０）を充填している状況である。
コンクリートの中に浮力体を内蔵することによりコンクリートの見かけ比重を下げ、大きな浮力を保持し水面上に浮上する軽量コンクリートとするためである。
コンクリートが型枠（３６）の中でやがて硬化すれば、（ｂ）に示すようにプール内に給水し浮体を型枠ごと浮上させる。
水中作業により架台をプール内に搬入し、プール底面上に仮設置すると共に給水を外部水タンクに排水し架台上に浮体を仮設置する。
【手続補正７】
【補正対象書類名】明細書
【補正対象項目名】００３１
【補正方法】変更
【補正の内容】
【００３１】
次ぎに（ｃ）に示すように多数のジャッキリフトをプール底面上に導入し、ジャッキリフトを同期して上昇させると共にジャッキリフトが当接していない部分の型枠を取り外す。
次ぎに一部のジャッキリフトを降下し取り外された型枠部分の浮体露出位置に移動し、再び上昇して浮体を直接支承しすべての型枠を取り外す。
型枠剥離作業が終了すれば（ｄ）に示すようにジャッキリフトを降下して浮体を架台上に仮設置すると共にジャッキリフトをプール外に搬出する。
更にプール内に給水し浮体を若干浮上させ、水中作業により架台をプール外に搬出すると共に給水を排水し浮体をプール底面上に設置する。
以上の工程により完成された浮体上に、建築物を建造することにより本発明水害浮上建築物が完工する。
上記工程においてジャッキリフトを水中に浸漬可能な完全防水型を採用すれば一部の工程が省略できる。
それは（ｂ）に示す架台の代わりに防水ジャッキリフトを導入し、（ｄ）に示す工程で
架台をジャッキリフトに置き換えれば架台を省略した作業が可能である。